(57)【特許請求の範囲】
【請求項１】
ハウジング内下部のスクリューを上部のモーターで設定高速回転するように備え、該スクリューの下方に吸水口をまたハウジングの側面に噴水口を開口した流水室をスクリューの周囲に形成すると共に、噴水口にグリッドを備えてなり、
該グリッドは、その縦若しくは横桟を、板を折り曲げて先鋭な山形に形成した山形桟を、その先鋭部をハウジング内側に向けて取り付けると共に、狹長板状の横若しくは縦桟を水平若しくは垂直に取り付けて、両桟でグリッドを設けたものであって、
該狹長板桟若しくは山形桟の一方を銀若しくは銀合金の板材若しくは適宜素材の板材の全面若しくは少なくても表面を銀若しくは銀合金の薄板、被膜でコーティングして設け、他方を適宜素材の板材の全面若しくは少なくとも表面を酸化チタンの薄板、被膜でコーティングして設けたものであり、
ハウジングを浴槽、プールの水中に設置した状態のスクリューの設定高速回転によって、水がハウジング下部周面及び底面から流水室の吸水口に吸水され、スクリュー部分に超音波キャビテーションを発生し、流水室の噴水口からグリッドを通過してハウジング外へ噴水されるとき、山形桟部分に超音波キャビテーションが発生すると共に、グリッドの各桟の銀若しくは銀合金及び酸化チタンに接触した水を殺菌、滅菌するように備えたことを特徴とする、各種浴槽、プール用超音波流水機。
【発明の詳細な説明】
【０００１】
【産業上の利用分野】
本発明は主として、病院、保健療養介護等の施設、アスレチック、エステ関係、一般家庭等における各種浴槽、プール等中に設置し、超音波水流を送出して、医療養効果を発揮するようにした、各種浴槽、プール用超音波流水機に係り、流水機のスクリューの水中における高速回転によって発生する超音波キャビテーションと、該スクリューによって発生した超音波キャビテーションの高速水流がグリッドを通過したときに発生する超音波キャビテーションの両方を相乗的に水中に伝播することによって、各種浴槽、プール中の人体に超音波キャビテーション特有の医療養効果を生ぜしめると共に、グリッドの銀若しくは銀合金及び酸化チタンの桟に超音波キャビテーション流水を接触することによって、水の殺菌、滅菌作用を効果的に行って、浴槽、プール等の循環水質を浄化するように備えたことを特徴とする、各種浴槽、プール用超音波流水機を提供するものである。
【０００２】
【従来技術とその課題】
従来、超音波、例えば超音波風呂等が水中超音波の医療養作用効果で、神経痛、腰痛、関節炎などの治療、がん、腫瘍等の治療等に効果があること、人体の細胞等を賦活する顕著な保健効用を発揮すること、また、水中の細菌を破壊する殺菌、滅菌作用があること、洗浄作用があること等が良く知られている。
【０００３】
また、水中でスクリュー（プロペラ）を設定高速回転すると気泡が発生する、即ち超音波キャビテーションを生じることが知られており、更に、高速水流が水中の板等に衝突、接触すると該板等の部分に気泡が発生する、即ち超音波キャビテーションを生じることが知られている。
一方、銀若しくは銀合金及び酸化チタンが水中において強い殺菌、滅菌作用を発揮することも知られている。
【０００４】
しかしながら、上記従来技術を、主として保健医療目的で各種浴槽、プールに綜合的かつ効率的に応用したようなものは未だ提供されなかった。
【０００５】
【発明が解決した課題】
そこで本発明は、上記従来技術を極めて効果的に綜合応用した、主として各種浴槽、プール用の超音波流水機を開発したものであり、即ち、各種浴槽、プールの水中においてスクリューを設定高速回転して超音波キャビテーションを効果的に発生せしめると共に、該スクリューによる高速水流をグリッドの設定構成の桟に衝突、接触して通過せしめることによってそこでも超音波キャビテーションを発生せしめて、両超音波キャビテーションを浴槽、プール等中の人体に相乗的に作用せしめるようにし、併せて、グリッドの桟を銀若しくは銀合金及び酸化チタン製として、それに接触通過する両超音波キャビテーション水流によって効果的に殺菌、滅菌して、各種浴槽、プールの循環水を効率的に浄化するようにして、従来の課題を有効に解決したものである。
【０００６】
【課題を解決する手段】
即ち本発明は、ハウジング内下部のスクリューを上部のモーターで設定高速回転するように備え、該スクリューの下方に吸水口をまたハウジングの側面に噴水口を開口した流水室をスクリューの周囲に形成すると共に、噴水口にグリッドを備えてなり、
【０００７】
該グリッドは、その縦若しくは横桟を、板を折り曲げて先鋭な山形に形成した山形桟を、その先鋭部をハウジング内側に向けて取り付けると共に、狹長板状の横若しくは縦桟を水平若しくは垂直に取り付けて、両桟で格子（グリッド）を設けたものであって、
該狹長板桟若しくは山形桟の一方を銀若しくは銀合金の板材若しくは適宜素材の板材の全面若しくは少なくても表面を銀若しくは銀合金の薄板、被膜等でコーティングして設け、他方を適宜素材の板材の全面若しくは少なくとも表面を酸化チタンの薄板、被膜等でコーティングして設けたものであり、
【０００８】
ハウジングを浴槽、プール等の水中に設置した状態のスクリューの設定高速回転によって、水がハウジング下部周面及び底面等から流水室の吸水口に吸水され、スクリュー部分に超音波キャビテーションを発生し、流水室の噴水口からグリッドを通過してハウジング外へ噴水されるとき、山形桟部分に超音波キャビテーションが発生すると共に、グリッドの各桟の銀若しくは銀合金及び酸化チタンに接触した水を殺菌、滅菌するように備えたことを特徴とする、各種浴槽、プール用超音波流水機によって、課題を解決したものである。
【０００９】
【実施例】
次に、本発明の実施例に付き説明する。(図1〜図８参照)
円筒状等のハウジング１内下部のスクリュー２を上部のモーター８で設定高速回転するように備え、該スクリュー２の下方に吸水口４をまたハウジング１の側面に噴水口５を開口した流水室３をスクリュー２の周囲に形成すると共に、噴水口５にグリッド７を備えてなる超音波流水機であり、
【００１０】
該グリッド７は、板を折り曲げて先鋭な山形に形成した山形桟７ａ(縦桟)を、その先鋭部をハウジング１内側に向けて垂直並列に取り付けると共に、狹長板状の横桟７ｂを水平並列に取り付けて、両桟７ａ、７ｂで格子（グリッド７）を設けたものであって、
該山形桟７ａ(縦桟)を銀若しくは銀合金の板材若しくは適宜素材の板材の全面若しくは少なくても表面を銀若しくは銀合金の薄板、被膜等でコーティングして設け、横桟の狹長板桟７ｂを適宜素材の板材の全面若しくは少なくとも表面を酸化チタンの薄板、被膜等でコーティングして設けたものであり、
【００１１】
該超音波流水機を、そのハウジング１を浴槽９(図８)、プール等の水中に設置した状態におけるスクリュー２の設定高速回転によって、水がハウジング１下部周面及び底面等から流水室３の吸水口４に吸水され、スクリュー２部分に超音波キャビテーションを発生し、流水室３の噴水口５からグリッド７を通過してハウジング１外へ噴水されるとき、山形桟７ａ部分に超音波キャビテーションが発生すると共に、グリッド７の各桟７ａ、７ｂの銀若しくは銀合金及び酸化チタンに接触した水を殺菌、滅菌するように備えた、各種浴槽、プール用超音波流水機である。
【００１２】
上記の超音波流水機において、ハウジング１の上部に設置したモーター８の回転軸８ａと直結したスクリュー２の回転軸６を、流水室３の上部において、該回転軸６の周囲に上下に間隔をおいて設置したオイルシール軸受１０，１１と両オイルシール軸受１０，１１間に形成された空間に充填したオイル１２によって防水シールしたものである。
【００１３】
【作用】
図８の本発明超音波流水機の使用状態説明図に示すように、超音波流水機のハウジング１の略半分を各種浴槽９、プールの水中に沈めた状態に設置する。
モーター８を運転しスクリュー２を設定高速回転すると、該スクリュー２が流水室３の吸入口４から水を強力に吸水するので、浴槽９、プール等の水はハウジング１の底面や下部周面等からハウジング１内に吸水され吸水口４から流水室３へ入り、その噴水口５から再び浴槽９、プール等の水中へ噴出される。
【００１４】
上記の流水過程において、スクリュー２の設定高速回転でスクリュー２の部分に超音波キャビテーションが発生し、また、噴水口５のグリッド７を通過するとき、その縦若しくは横桟に取り付けた山形桟７aに衝突、接触した水流に超音波キャビテーションが発生し、両超音波キャビテーションが相乗した状態で浴槽9、プールの水中に伝播し、該水中の人体に付加される。
【００１５】
また、噴流水がグリッド7を通過するとき、その縦及び横桟７ａ、７ｂの銀若しくは銀合金及び酸化チタンに接触して、水の殺菌、滅菌作用が行われる。
【００１６】
なお、スクリュー２の高速回転時、その回転軸６（流水室３付近）をオイルシールした２段階のオイルシール軸受１０，１１及び両軸受間の充填オイル１２で防水シールして、該回転軸６及びモーター８の回転軸８ａ等に水が侵入するのを防止している。
【００１７】
【効果】
ハウジングの流水室内でスクリューを設定高速回転することによって、超音波キャビテーションを効果的に発生することができると共に、スクリューによって生じた高速水流を流水室噴水口のグリッドの山形桟に衝突接触して通過することによって各山形桟の部分に超音波キャビテーションを効果的に発生することができ、
その両超音波キャビテーションが相乗的に作用し乍ら浴槽、プール等の水中に伝播するため、人体の細胞賦活による保健効果、各種の医療養効果、細菌破壊効果、洗浄効果等が有効に発揮される優れた特徴がある。
【００１８】
また、流水室の噴水口に取り付けたグリッドの縦、横桟の一方を銀若しくは銀合金の板材若しくは適宜素材の板材の全面若しくは少なくても表面を銀若しくは銀合金の薄板、被膜でコーティングして設け、他方を適宜素材の板材の全面若しくは少なくとも表面を酸化チタンの薄板、被膜でコーティングして設けて、それらに衝突、接触した流水を殺菌、滅菌するようにしたので、浴槽、プール等の水(例、循環水)を常時清浄に保持できる効果がある。
【図面の簡単な説明】
【図１】本発明超音波水流機の一部切断正面図。
【図２】図１の右側面図。
【図３】図１の左側面図。
【図４】噴水口に取り付けるグリッドの正面図（外面図）。
【図５】図４のＡ−Ａ線断面矢視図。
【図６】図４のＢ−Ｂ線断面矢視図。
【図７】グリッドの山形桟部分に超音波キャビテーションが発生する状態を示す説明図。
【図８】本発明機を浴槽内に設置した状態を示す説明図。
【符号の説明】
１      ハウジング
２      スクリュー
３      流水室
４      吸水口
５      噴水口
６      回転軸(スクリュー)
７      グリッド
７ａ    山形桟（実施例図面は縦桟）
７ｂ    狹長板桟（実施例図面は横桟）
８      モーター
８ａ    回転軸(モーター)
９      浴槽
１０    オイルシール軸受
１１    オイルシール軸受
１２    オイル
【図１】
0004214303.tif 000002
【図２】
0004214303.tif 000003
【図３】
0004214303.tif 000004
【図４】
0004214303.tif 000005
【図５】
0004214303.tif 000006
【図６】
0004214303.tif 000007
【図７】
0004214303.tif 000008
【図８】
0004214303.tif 000009